【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成装置であって、
前記動き検出情報及び検出時刻情報に基づいて、重力方向における前記手首の位置が閾値以上変化した変化期間を検出する手首位置変化期間検出部と、
前記手首位置変化期間検出部により検出された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成部と、
前記血圧補正情報生成部により生成された前記血圧補正情報を、該血圧補正情報により補正される血圧情報に対応付けて記録媒体に記録する記録制御部と、を備え、
前記血圧補正情報生成部は、前記第一の血圧情報の代表値と前記第二の血圧情報の代表値との差分を求め、前記第一の血圧情報の代表値と前記第二の血圧情報の代表値との大小関係に基づき、前記第一の期間中に検出された脈波から算出された血圧情報に対応付けて記録されている過去の血圧補正情報に前記差分の絶対値を加算、又は、当該過去の血圧補正情報から前記差分の絶対値を減算して、前記変化期間よりも後に検出された脈波から算出された血圧情報の血圧補正情報を生成する血圧補正情報生成装置。
【請求項２】
請求項１記載の血圧補正情報生成装置であって、
前記第一の期間は、前記脈波から算出された血圧情報のばらつきが閾値以下となっている期間であり、
前記第二の期間は、前記脈波から算出された血圧情報のばらつきが閾値以下となっている期間である血圧補正情報生成装置。
【請求項３】
請求項１記載の血圧補正情報生成装置であって、
前記血圧補正情報生成部は、前記第一の期間中に算出された複数の第一の血圧情報の平均値を前記第一の血圧情報の代表値とし、前記第二の期間中に算出された複数の第二の血圧情報の平均値を前記第二の血圧情報の代表値として前記差分を算出する血圧補正情報生成装置。
【請求項４】
請求項１記載の血圧補正情報生成装置であって、
前記血圧補正情報生成部は、前記第一の血圧情報の代表値が前記第二の血圧情報の代表値よりも大きい場合には、前記第一の期間中に検出された脈波から算出された血圧情報に対応付けて記録されている過去の血圧補正情報に前記差分の絶対値を加算して前記血圧補正情報を生成し、
前記血圧補正情報生成部は、前記第一の血圧情報の代表値が前記第二の血圧情報の代表値よりも小さい場合には、前記過去の血圧補正情報から前記差分の絶対値を減算して前記血圧補正情報を生成する血圧補正情報生成装置。
【請求項５】
請求項１〜４のいずれか１項記載の血圧補正情報生成装置であって、
前記血圧補正情報生成部は、前記手首位置変化期間検出部により検出された変化期間の開始時の前記動き検出情報に基づく手首の位置と、前記変化期間の終了時の前記動き検出情報に基づく手首の位置との差を血圧情報の変化量に変換し、当該変化量と前記差分との差が予め決められた値よりも大きい場合には、前記血圧補正情報の生成を停止する血圧補正情報生成装置。
【請求項６】
被測定者の手首から脈波を検出する脈波検出部と、
前記脈波検出部により検出される脈波に基づいて１拍毎又は複数拍毎に血圧情報を算出する血圧情報算出部と、
前記手首の動きに応じた動き情報を出力する動き検出部と、
請求項１〜５のいずれか１項記載の血圧補正情報生成装置と、を備える血圧測定装置。
【請求項７】
被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成方法であって、
前記動き検出情報及び検出時刻情報に基づいて、重力方向における前記手首の位置が閾値以上変化した変化期間を検出する手首位置変化期間検出ステップと、
前記手首位置変化期間検出ステップにより検出された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成ステップと、
前記血圧補正情報生成ステップで生成された前記血圧補正情報を、該血圧補正情報により補正される血圧情報に対応付けて記録媒体に記録する記録制御ステップと、
を備え、
前記血圧補正情報生成ステップでは、前記第一の血圧情報の代表値と前記第二の血圧情報の代表値との差分を求め、前記第一の血圧情報の代表値が前記第二の血圧情報の代表値よりも大きい場合には、前記第一の期間中に検出された脈波から算出された血圧情報に対応付けて記録されている過去の血圧補正情報に前記差分の絶対値を加算して前記血圧補正情報を生成し、
前記第一の血圧情報の代表値が前記第二の血圧情報の代表値よりも小さい場合には、前記過去の血圧補正情報から前記差分の絶対値を減算して前記血圧補正情報を生成する血圧補正情報生成方法。
【請求項８】
被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成方法をコンピュータに実行させるための血圧補正情報生成プログラムであって、
前記動き検出情報及び検出時刻情報に基づいて、重力方向における前記手首の位置が閾値以上変化した変化期間を判定する手首位置変化期間検出ステップと、
前記手首位置変化期間検出ステップにより判定された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成ステップと、
前記血圧補正情報生成ステップにより生成された前記血圧補正情報を、該血圧補正情報により補正される血圧情報に対応付けて記録媒体に記録する記録制御ステップと、を備え、
前記血圧補正情報生成ステップでは、前記第一の血圧情報の代表値と前記第二の血圧情報の代表値との差分を求め、前記第一の血圧情報の代表値が前記第二の血圧情報の代表値よりも大きい場合には、前記第一の期間中に検出された脈波から算出された血圧情報に対応付けて記録されている過去の血圧補正情報に前記差分の絶対値を加算して前記血圧補正情報を生成し、
前記第一の血圧情報の代表値が前記第二の血圧情報の代表値よりも小さい場合には、前記過去の血圧補正情報から前記差分の絶対値を減算して前記血圧補正情報を生成する手順をコンピュータに実行させる血圧補正情報生成プログラム。
【手続補正２】
【補正対象書類名】明細書
【補正対象項目名】００１１
【補正方法】変更
【補正の内容】
【００１１】
本発明の血圧補正情報生成装置は、被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成装置であって、前記動き検出情報及び検出時刻情報に基づいて、重力方向における前記手首の位置が閾値以上変化した変化期間を検出する手首位置変化期間検出部と、前記手首位置変化期間検出部により検出された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成部と、前記血圧補正情報生成部により生成された前記血圧補正情報を、該血圧補正情報により補正される血圧情報に対応付けて記録媒体に記録する記録制御部と、を備え、前記血圧補正情報生成部は、前記第一の血圧情報の代表値と前記第二の血圧情報の代表値との差分を求め、前記第一の血圧情報の代表値と前記第二の血圧情報の代表値との大小関係に基づき、前記第一の期間中に検出された脈波から算出された血圧情報に対応付けて記録されている過去の血圧補正情報に前記差分の絶対値を加算、又は、当該過去の血圧補正情報から前記差分の絶対値を減算して、前記変化期間よりも後に検出された脈波から算出された血圧情報の血圧補正情報を生成するものである。
【手続補正３】
【補正対象書類名】明細書
【補正対象項目名】００１２
【補正方法】変更
【補正の内容】
【００１２】
本発明の血圧測定装置は、被測定者の手首から脈波を検出する脈波検出部と、前記脈波検出部により検出される脈波に基づいて１拍毎又は複数拍毎に血圧情報を算出する血圧情報算出部と、前記手首の動きに応じた動き情報を出力する動き検出部と、前記血圧補正情報生成装置と、を備えるものである。
【手続補正４】
【補正対象書類名】明細書
【補正対象項目名】００１３
【補正方法】変更
【補正の内容】
【００１３】
本発明の血圧補正情報生成方法は、被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成方法であって、前記動き検出情報及び検出時刻情報に基づいて、重力方向における前記手首の位置が閾値以上変化した変化期間を検出する手首位置変化期間検出ステップと、前記手首位置変化期間検出ステップにより検出された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成ステップと、前記血圧補正情報生成ステップで生成された前記血圧補正情報を、該血圧補正情報により補正される血圧情報に対応付けて記録媒体に記録する記録制御ステップと、を備え、前記血圧補正情報生成ステップでは、前記第一の血圧情報の代表値と前記第二の血圧情報の代表値との差分を求め、前記第一の血圧情報の代表値が前記第二の血圧情報の代表値よりも大きい場合には、前記第一の期間中に検出された脈波から算出された血圧情報に対応付けて記録されている過去の血圧補正情報に前記差分の絶対値を加算して前記血圧補正情報を生成し、前記第一の血圧情報の代表値が前記第二の血圧情報の代表値よりも小さい場合には、前記過去の血圧補正情報から前記差分の絶対値を減算して前記血圧補正情報を生成するものである。
【手続補正５】
【補正対象書類名】明細書
【補正対象項目名】００１４
【補正方法】変更
【補正の内容】
【００１４】
本発明の血圧補正情報生成プログラムは、被測定者の手首から検出した脈波に基づいて算出された１拍毎又は複数拍毎の血圧情報と、前記手首の動きを検出した動き検出情報と、前記動き検出情報が検出された時刻を表す検出時刻情報とが対応付けて記録された記録媒体から前記血圧情報、動き検出情報及び検出時刻情報を読み出して、血圧情報を補正するための血圧補正情報を生成する血圧補正情報生成方法をコンピュータに実行させるための血圧補正情報生成プログラムであって、前記動き検出情報及び検出時刻情報に基づいて、重力方向における前記手首の位置が閾値以上変化した変化期間を判定する手首位置変化期間検出ステップと、前記手首位置変化期間検出ステップにより判定された前記変化期間よりも前の第一の期間中に検出された脈波から算出された第一の血圧情報と前記変化期間よりも後の第二の期間中に検出された脈波から算出された第二の血圧情報とに基づいて、前記変化期間よりも後に検出された脈波から算出された血圧情報を補正するための血圧補正情報を生成する血圧補正情報生成ステップと、前記血圧補正情報生成ステップにより生成された前記血圧補正情報を、該血圧補正情報により補正される血圧情報に対応付けて記録媒体に記録する記録制御ステップと、を備え、前記血圧補正情報生成ステップでは、前記第一の血圧情報の代表値と前記第二の血圧情報の代表値との差分を求め、前記第一の血圧情報の代表値が前記第二の血圧情報の代表値よりも大きい場合には、前記第一の期間中に検出された脈波から算出された血圧情報に対応付けて記録されている過去の血圧補正情報に前記差分の絶対値を加算して前記血圧補正情報を生成し、前記第一の血圧情報の代表値が前記第二の血圧情報の代表値よりも小さい場合には、前記過去の血圧補正情報から前記差分の絶対値を減算して前記血圧補正情報を生成する手順をコンピュータに実行させるものである。
【手続補正６】
【補正対象書類名】明細書
【補正対象項目名】００１９
【補正方法】変更
【補正の内容】
【００１９】
血圧測定装置１００は、脈波検出部１０と、血圧情報算出部１１と、加速度センサ１２と、記録制御部１３と、フラッシュメモリやＲＯＭ（Ｒｅａｄ  Ｏｎｌｙ  Ｍｅｍｏｒｙ）やメモリカード等の記録媒体１４と、手首位置変化期間検出部１５と、血圧補正情報生成部１６と、を備える。記録媒体１４は装置に着脱可能なものであってもよい。
【手続補正７】
【補正対象書類名】明細書
【補正対象項目名】００３３
【補正方法】変更
【補正の内容】
【００３３】
血圧測定装置１００では、血圧測定装置１００を装着した手首の重力方向における位置を、予め決められた重力方向における基準位置（例えば、重力方向における被測定者の心臓の位置）とほぼ同じにした状態で、測定開始ボタンを押して、血圧情報の測定を開始することを前提としている。